(57)【要約】【課題】ゴミ処理工場の一設備である破袋機の構造を一層簡単にして設置費用の軽減を図り、長尺物が破袋機の回転部分に巻きつかないようにしたものを提供する。【解決手段】第一に、フレームに亘設された回転軸０１にカッタ０６を取り付け、その外側をゴミ袋の投入口と排出口を有するケーシングで覆い、その内面に複数の固定刃を設けた破袋機において、上記カッタ０６の刃先の回転軌跡上の周長を、投入されるゴミ袋中に存在する長尺物の長さより長くしたものであり、第二に上記カッタ０６の刃先の回転軌跡の内回りにゴミ袋落ち込み防止ドラム０３を形成し、このゴミ袋落ち込み防止ドラム０３の回転方向終端部分を揺動可能にし、その揺動可能部分先端の動きに倣って形成したゴミ袋収容ポケット０７を形成したものであり、第三に上記カッタ０６の刃先を回転軸０１の軸に対して一列または千鳥足状に配置したものであり、第四に上記ゴミ袋落ち込みドラム０３の揺動可能部分０３ａを短冊状の部材で形成したものである。【選択図】図１
2014223606.tif 000002
【特許請求の範囲】
【請求項１】
フレームに亘設された回転軸（０１）にカッタ（０６）を取り付け、その外側をゴミ袋の投入口と排出口を有するケーシングで覆い、その内面に複数の固定刃を配設した破袋機において、上記カッタ（０６）の刃先の回転軌跡上の周長を、投入されるゴミ袋中に存在する長尺物の長さより長くしたことを特徴とする破袋機。
【請求項２】
上記カッタ（０６）の刃先の回転軌跡の内回りにゴミ袋落ち込み防止ドラム（０３）を形成し、このゴミ袋落ち込み防止ドラム（０３）の回転方向終端部分（０５）を揺動可能にし、その揺動可能部分先端の動きに倣って形成したゴミ袋収容ポケット（０７）を形成したことを特徴とする請求項１に記載の破袋機。
【請求項３】
上記破袋機において、上記カッタ（０６）の刃先を回転軸（０１）の軸に対して一列または千鳥足状に配置したことを特徴とする請求項１または２に記載の破袋機。
【請求項４】
上記ゴミ袋落ち込み防止ドラム（０３）の揺動可能部（０３ａ）を短冊状の部材で形成したことを特徴とする請求項１乃至３のいずれかに記載の破袋機。
【発明の詳細な説明】
【技術分野】
【０００１】  この発明はゴミを包んだプラスチック（主としてポリエチレン）袋を破る破袋機と破袋されたプラスチック袋を除去する除袋機を一体にしたものに関する。
【背景技術】
【０００２】  本出願人は特開２００８−０６８２４９等で幾種類かの「破袋機」等を提案している。【０００３】  上記提案の要旨は、図４，５で示すように「フレーム１１に亘設した回転軸１３に複数のカッタ１７を放射状に取付け、このカッタ１７の回転軌跡に沿って固定刃２６を配設し、上記固定刃２６の外側周囲をカバー２７で覆い、このカバー２７の、上記カッタ１７が上向きに回転する側に投入口２８を設けてなる。上記カッタ１７は回転方向に対して揺動可能になり、上記固定刃２６はカッタ１７に対して向き合う方向に鉤状に曲げられ、かつ、千鳥足状に配置して固定刃２６と回転刃１７とが交互に行き交うようにし、また、カッタ１７及び固定刃２６の素材を板バネ材とし、回転軸１３に取り付けたカッタ間に紐状物の巻き付き防止棒１９を亘設してなる」ものである。【０００４】  しかし、上記破袋機の使用現場からはテープ、紐等の絡み付き防止効果は充分ではなく、長時間運転しているうちに長尺物がカッタや巻き付き防止棒に絡み付いて破袋効果が低下するので、一定時間ごとに運転を停め、カッタ等（手動）で切除しており、更なる改善を求められており、併せて、ゴミ処理工場の経費の節減が求められ、当然のこととして破袋機にも製造価格の低減が求められている。【０００５】
【特許文献１】特開２０１１−１１５７８６
【特許文献１】特開２０１０−２８４６３０
【特許文献１】特開２００８−０６８２４９
【発明の開示】
【発明が解決しようとする課題】
【０００６】  ゴミ処理工場の一設備である破袋機の構造を一層簡単にして設置費用の軽減を図り、長尺物が破袋機の回転部分に巻きつかないようにしたものを提供することを課題とする。
【課題を解決するための手段】
【０００７】  上記課題を解決するためにこの発明は、第一に、フレームに亘設された回転軸０１にカッタ０６を取り付け、その外側をゴミ袋の投入口と排出口を有するケーシングで覆い、その内面に複数の固定刃を設けた破袋機において、上記カッタ０６の刃先の回転軌跡上の周長を、投入されるゴミ袋中に存在する長尺物の長さより長くしたものであり、第二に上記カッタ０６の刃先の回転軌跡の内回りにゴミ袋落ち込み防止ドラム０３を形成し、このゴミ袋落ち込み防止ドラム０３の回転方向終端部分０５を揺動可能にし、その揺動可能部分先端の動きに倣って形成したゴミ袋収容ポケット０７を形成したものであり、第三に上記カッタ０６の刃先を回転軸０１の軸に対して一列または千鳥足状に配置したものであり、第四に上記ゴミ袋落ち込みドラム０３の揺動可能部０３ａを形成したものである。
【発明の効果】
【０００８】  上記の如く構成する本発明によれば、カッタ刃先の回転軌跡上の周長が、ゴミ袋中に混在している長尺物の長さより長くなってゴミ袋中の長尺物がカッタの刃先に巻きつかなくなり、またゴミ袋落ち込み防止ドラムの形成によって破袋機に投入されたゴミ袋が回転軸の回りに侵入することが無く、ゴミ袋落ち込み防止ドラム０３の回転方向終端部分の位置次第でゴミ袋の大小に選択的に対応（ゴミ袋収容ポケットの大きさを変えること）でき、より効果的な破袋ができ、また、カッタ刃先を千鳥足状に配置することによりゴミ袋が投入されたときの衝撃を分散して破袋機の耐用年数を延長することができる。
【発明を実施するための最良の形態】
【０００９】  次にこの発明の実施例について図面を参照しながら説明する。図１はフレーム部分およびケーシング部分を省略した本発明に係る破袋機の要部を示すものである。【００１０】  回転軸０１の両端には大径のフランジ０２が取り付けられ、このフランジ０２にはゴミ袋落ち込み防止ドラム０３が設けられ、その周囲の３／４はフランジ０２に溶接等で一体に固定され、残り１／４の始端は支持棹０４により支えられ、それから終端０５までは材料の弾性により揺動可能になっている。ここで、ゴミ袋落ち込み防止ドラム０３の固定部分は外周の３／４とし、揺動可能部分は外周の１／４にしているが、外周の２／３と１／３にしてもよく、要するに投入されたゴミ袋が、一旦ゴミ袋収容ポケット０７に入りゴミ袋落ち込み防止ドラム０３の揺動側の反発力により外側に押し出されるような寸法関係が形成されていればよい。【００１１】  カッタ０６はフランジ０８を介して取り付けられ、カッタ０６の回転軸方向の数は適宜変えることができる。また、カッタ０６は図３（ａ）のように一列に並べているが図３（ｂ）のように千鳥足状に配置することができ、このようにすれば回転軸への衝撃が緩和（分散）される。また、上記実施例では、カッタを回転軸の一周回軌跡上に一列設けているだけであるが、カッタ先端の周回軌跡の長さが大きく、破袋片やゴミ袋中の長尺物の長さの２倍を越えるときは周回軌跡の１／２に各一列設けることもできる。【００１２】  上記ゴミ袋落ち込み防止ドラム０３の回転方向終端部分を揺動可能部０３ａとし、その揺動可能部先端の動きに倣った曲面とゴミ袋落ち込み防止ドラム０３の仮想延長外周とでゴミ袋収容ポケット０７を形成し、ゴミ袋が投入されると一旦ゴミ袋収容ポケット０７に嵌まり込み、揺動可能部０３ａの揺動側の反発力により外側に押し出され図示しないケーシングの内面に設けた固定刃によって破袋される。【００１３】  なお、上記実施例ではゴミ袋落ち込み防止ドラム０３の終端部０３ａを一枚の鋼板で形成しているがカッタ０６の設置間隔に見合った幅の短冊状の鋼板で、隣接する鋼板との間に適当な隙間を設けて設置することができる。このようにするのは、投入されるゴミ袋が破袋機の中に均等に投入されるとは限らず、偏って投入され、あるいは複数のゴミ袋が一度に投入されたときに、それぞれの位置でそれぞれの大きさに対応して固定刃の方に押し付け、効果的に破袋処理できるように考慮したものである。【００１４】  ここでゴミ袋収容ポケット０７について更に説明すると、処理物が容器包装プラスチック等の軽いものや、柔らかいもの、特に外袋の中の小袋まで破りたい場合は、ゴミ袋収容ポケット０７を構成する揺動可能部０３ａが、ゴミ袋を固定刃２６に押し付けて破袋をよくする働きをする。【００１５】  しかし、外側の大袋だけを破り、中の小袋をそれほど破る必要のない場合や、缶類、びん類、その他不燃物、あるいはペットボトル等を処理する場合は、図１（ｂ）、図２（ｂ）のように揺動可能部０３ａを省きゴミ収容ポケット０７の収容容積を大きくして、破袋時の負荷を減らし処理能力を大きくすることができる。【００１６】  以上のように構成する破袋機によれば、コンベアによって送り込まれるゴミ袋は、��袋機のゴミ袋収容ポケット０７に入り、回転軸０１と共に回転するカッタ０６と図示しないケーシングの内面に設置した固定刃２６（図４，５参照）とによって破袋され、カッタ０６、ゴミ袋収納ポケット０７の回転にしたがってゴミ袋収容ポケット０７が下向きになりゴミ袋の内容物が破袋片と共に落下し、図示しない排出コンベアに排出される。【００１７】  図６及び図７は破袋不可能なゴミ袋（不適物）が投入されたときのことを考慮したもので、ゴミ袋投入口２８のシュート２９（傾斜面）は通常跳ね上がっているが、過大な重さの不適物が投入されるとシュート２９の裏側に配置されたリンク機構３１を介してカウンターウェイト３０が持ち上がり、シュート２９の下方先端が下ってゴミ袋落ち込み防止ドラム０３との隙間が広がり、不適物がその間を落下し排出される。また、不適物の投入により過負荷が加わったときはカッタ０６が逆転し不適物をシュート２９に強い力で押し付けることとなり、上記同様にシュート２９の下が開き不適物を直接排出し、破袋と除袋の処理が行われる。なお、カウンターウェイト３０に代えて引っ張りバネを採用することもできる。【００１８】  図８および図９はこれまで説明した破袋機の次工程に、右流れ傾斜の除袋機を付加したもので、排出シュート３３に設けた隙間からゴミ袋除去鉤３４を出没回転させている。【００１９】  また、処理物が袋入り容器包装プラスチックの場合、事実上外側の大袋は勿論、内側の小袋をよく破袋してフィルム類等の軟質軽量物と、トレーやボトル等の硬質重量物とに分別して異物除去等の選別効率を向上させる手段として破袋・除袋機が使用されることが多い。この場合、上記のように破袋されたプラスチック類が排出シュート３３上を滑り降りてくる間に、回転するゴミ袋除去駒３４が軟質フィルム等を引っ掛けて排出シュート３３に設けた隙間から下方に分別排出することになるが、その効率を上げるため排出シュート３３の出口において、上方から排出規制板３５を開口面積調整可能に配置し、排出量を加減することによりゴミ類の排出シュート３３上での滞留量を多くしたり滞留時間を長くすることが可能で、また排出規制版３５の代わりに排出シュート３３の下端に、ほぼ水平で適当な長さの滞留版３６（図９参照）を設け排出シュート３３滑り降りてくる内容物や破袋片を一時停滞留させ、それ自身を落下排出物の排出規制材とすることもできる。【００２０】  図１０と図１１は左流れの除袋機を表すもので装置の設置状況が図８，９の逆になっているものである。【００２１】  図１２は投入口を傾斜させ、不燃物（非破砕固形物）等の入った重いゴミ袋やびん入りゴミ袋の投入落下速度を遅くして衝撃を減らすようにしたものであり、シュート２９の下方先端部にはバネ板等の弾性体をシュート面からほぼ垂直に立ち上げ、シュート２９を滑り降りてくるゴミ袋を受け止めるストッパ３２を形成し、ストッパ３２の先端部は、回転するカッタ０６が干渉しないようくし歯状に切欠いている。【００２２】  上記のように構成することにより、シュート２９を滑り降りて先端のストッパ３２で衝撃が吸収され停止保持され、次いで、カッタ０６がそのゴミ袋を引っ掛けるように取り込むので衝撃が低くなり騒音を押える効果��得られる。【００２３】  また、びん入りゴミ袋の処理においても同様に衝撃を減らす効果が得られ、破びんも少なくすることができる。
【産業上の利用可能性】
【００２４】  以上説明したように本発明によれば袋入りゴミ袋の中に存在する長尺物が破袋機の回転体に絡みつく、あるいは巻きつくのを完全に防止し、しかも小型にしてカッタその他の部品数を減らすことによりコスト削減に大きく貢献し産業上利用価値の高いものである。
【図面の簡単な説明】
【００２５】
【図１】本発明に係る破袋機のケーシング内に収まるカッタ等要部を示す斜視図
【図２】図１の軸方向から見た要部断面図
【図３】本発明に係る破袋機のカッタ配置例で（ａ）横一列（ｂ）千鳥足状を示す。
【図４】従来技術に係る破袋機の軸方向から見た内部構造図
【図５】同軸に並行で水平方向から見た内部構造図
【図６】破袋不適物や過負荷を回避する手段を設けた内部構造図
【図７】同部分詳細図
【図８】右流れ除袋機の内部説明図
【図９】同断面図
【図１０】左流れ除袋機の内部説明図
【図１１】同断面図
【図１２】衝撃吸収構造の破袋・除袋機
【符号の説明】
【００２６】０１  回転軸
０２  フランジ（ゴミ袋落ち込み防止ドラムを固定する）
０３  ゴミ袋落ち込み防止ドラム
０３ａ  ゴミ袋落ち込み防止ドラムの揺動可能部
０４  支持棹
０５  揺動可能部の終端
０６  カッタ
０７  ゴミ袋収容ポケット
０８  フランジ
１０  破袋機
１１  フレーム
１２  軸受け
１３  回転軸
１７  カッタ
１８  フランジ
１９  巻き付き防止棒
２１  側板
２２  ブラケット
２３  ステー
２４  アーチ形金具
２５  ブラケット
２６  固定刃
２７  カバー
２８  ゴミ袋投入口
２９  シュート
３０  カウンターウェイト
３１  リンク機構
３２  ストッパ
３３  排出シュート
３４  ゴミ袋除去鉤
３５  排出規制板
３６  滞留板
【図１】
2014223606.tif 000003
【図２】
2014223606.tif 000004
【図３】
2014223606.tif 000005
【図４】
2014223606.tif 000006
【図５】
2014223606.tif 000007
【図６】
2014223606.tif 000008
【図７】
2014223606.tif 000009
【図８】
2014223606.tif 000010
【図９】
2014223606.tif 000011
【図１０】
2014223606.tif 000012
【図１１】
2014223606.tif 000013
【図１２】
2014223606.tif 000014